(57)【要約】  本発明は、搬送波選択方法、端末装置、及びコンピュータ記憶媒体を開示し、前記方法は、少なくとも１つの初期搬送波で少なくとも１つのプロセスを実行することであって、異なるプロセスが同一又は異なる初期搬送波で実行されることと、前記少なくとも１つのプロセスのうちのターゲットプロセスのために、前記初期搬送波と同一又は異なる第１の搬送波を選択することと、前記第１の搬送波で前記ターゲットプロセスのデータの少なくとも一部を運搬することと、を含む。
2020537373.tif 000002
【特許請求の範囲】
【請求項１】
端末装置に適用される搬送波選択方法であって、
少なくとも１つの初期搬送波で少なくとも１つのプロセスを実行することであって、異なるプロセスが同一又は異なる初期搬送波で実行されることと、
前記少なくとも１つのプロセスのうちのターゲットプロセスのために、前記初期搬送波と同一又は異なる第１の搬送波を選択することと、
前記第１の搬送波で前記ターゲットプロセスのデータの少なくとも一部を運搬することと、を含むことを特徴とする搬送波選択方法。
【請求項２】
前記した前記第１の搬送波で前記ターゲットプロセスのデータの少なくとも一部を運搬することは、
前記第１の搬送波のデータ運搬状況に基づき、前記第１の搬送波で前記ターゲットプロセスのデータの全部又は一部を運搬するかを決定することを含み、
前記データ運搬状況は、
搬送波がプロセスのデータの全部を運搬できるか否か、及び／又は、搬送波の優先度を示すことを少なくとも含むことを特徴とする
請求項１に記載の方法。
【請求項３】
前記第１の搬送波のデータ運搬状況に基づき、前記第１の搬送波で前記ターゲットプロセスのデータの全部又は一部を運搬するかを決定することは、
前記第１の搬送波のデータ運搬状況が前記ターゲットプロセスのデータの全部を運搬できると示す場合、前記第１の搬送波で前記ターゲットプロセスのデータの全部を運搬すること、そうではない場合、前記第１の搬送波で前記ターゲットプロセスのデータの一部を運搬することを含むことを特徴とする
請求項２に記載の方法。
【請求項４】
前記第１の搬送波のデータ運搬状況に基づき、前記第１の搬送波で前記ターゲットプロセスのデータの全部又は一部を運搬するかを決定することは、
前記ターゲットプロセスの優先度が前記第１の搬送波の優先度とマッチングする場合、前記第１の搬送波で前記ターゲットプロセスのデータの全部を運搬すること、そうではない場合、前記第１の搬送波で前記ターゲットプロセスのデータの一部を運搬することを含むことを特徴とする
請求項２に記載の方法。
【請求項５】
前記第１の搬送波のデータ運搬状況に基づき、前記第１の搬送波で前記ターゲットプロセスのデータの全部又は一部を運搬するかを決定することは、
前記第１の搬送波のデータ運搬状況が前記ターゲットプロセスのデータの全部を運搬できることを示し、前記ターゲットプロセスの優先度が前記第１の搬送波の優先度とマッチングする場合、前記第１の搬送波で前記ターゲットプロセスのデータの全部を運搬すること、そうではない場合、前記第１の搬送波で前記ターゲットプロセスのデータの一部を運搬することを含むことを特徴とする
請求項２に記載の方法。
【請求項６】
前記した前記第１の搬送波で前記ターゲットプロセスのデータの一部を運搬することは、さらに、
一部のデータを除く前記ターゲットプロセスの余剰なデータのために、搬送波選択を再実行して第２の搬送波が得られ、前記第２の搬送波で前記ターゲットプロセスの余剰なデータを運搬することを含むことを特徴とする請求項３〜５のいずれか１項に記載の方法。
【請求項７】
前記第１の搬送波のデータ運搬状況が前記ターゲットプロセスのデータの全部を運搬できると示す場合、前記第１の搬送波で前記ターゲットプロセスのデータの全部を運搬することは、
前記第１の搬送波のデータ運搬状況が前記ターゲットプロセスのデータの全部を運搬できると示し、前記端末装置が前記第１の搬送波で実行可能なプロセス数が閾値よりも小さい場合、前記ターゲットプロセスのデータの全部を運搬する新しいプロセスを前記第１の搬送波で生成することを含むことを特徴とする
請求項３〜５のいずれか１項に記載の方法。
【請求項８】
前記第１の搬送波のデータ運搬状況が前記ターゲットプロセスのデータの全部を運搬できると示す場合、前記第１の搬送波で前記ターゲットプロセスのデータの全部を運搬することは、
前記第１の搬送波のデータ運搬状況が前記ターゲットプロセスのデータの全部を運搬できると示し、前記端末装置が前記第１の搬送波で実行可能なプロセス数が閾値に等しい場合、前記第１の搬送波で実行されるターゲットプロセス以外のプロセスから調整可能なプロセスを選択し、前記調整可能なプロセスの予約リソースを調整して、前記調整可能なプロセスのデータの全部及び前記ターゲットプロセスのデータの全部を調整された予約リソースに運搬することを含むことを特徴とする
請求項３〜５のいずれか１項に記載の方法。
【請求項９】
前記第１の搬送波のデータ運搬状況が前記ターゲットプロセスのデータの全部を運搬できると示す場合、前記第１の搬送波で前記ターゲットプロセスのデータの全部を運搬することは、
前記第１の搬送波のデータ運搬状況が前記ターゲットプロセスのデータの全部を運搬できると示し、前記端末装置が前記第１の搬送波で実行可能なプロセス数が閾値に等しい場合、前記第１の搬送波で単一データパケットの形態を用いて前記ターゲットプロセスのデータの全部を送信することを含むことを特徴とする
請求項３〜５のいずれか１項に記載の方法。
【請求項１０】
前記少なくとも１つのプロセスのそれぞれに対応するリソース再選択タイマーに基づき、プロセスがリソース再選択を実行する必要があるか否かを判断することと、
リソース再選択を実行する必要があるプロセスを決定した場合、前記プロセスをターゲットプロセスとすることと、をさらに含むことを特徴とする
請求項１〜５のいずれか１項に記載の方法。
【請求項１１】
リソースプール構成又はリソースプール再構成を実行する搬送波があるか否かを判断することと、
リソースプール構成又はリソースプール再構成を実行する搬送波がある場合、前記搬送波から少なくとも１つのプロセスをターゲットプロセスとして選択することと、をさらに含むことを特徴とする
請求項１〜５のいずれか１項に記載の方法。
【請求項１２】
実行中のデータ量を運搬できない搬送波のプロセスが少なくとも１つあるか否かを判断することと、
ある場合、前記搬送波で実行されている少なくとも１つのプロセスからターゲットプロセスを選択することと、をさらに含むことを特徴とする
請求項１〜５のいずれか１項に記載の方法。
【請求項１３】
少なくとも１つの搬送波の少なくとも１つのプロセスに運搬されるデータ量を取得することと、
前記少なくとも１つの搬送波の少なくとも１つのプロセスに運搬されるデータ量がサービスデータ量よりも少ない場合、前記少なくとも１つの搬送波で運搬される少なくとも１つのプロセスからターゲットプロセスを選択することと、をさらに含むことを特徴とする
請求項１〜５のいずれか１項に記載の方法。
【請求項１４】
予め設定された時間に、搬送波で伝送又は再伝送が継続的に実行されない場合、前記搬送波上のプロセスをターゲットプロセスとして選択することをさらに含むことを特徴とする
請求項１〜５のいずれか１項に記載の方法。
【請求項１５】
Ｎ（Ｎは整数）個の連続的な伝送タイミングに搬送波でデータ伝送が実行されない場合、前記搬送波上のプロセスをターゲットプロセスとして選択することをさらに含むことを特徴とする
請求項１〜５のいずれか１項に記載の方法。
【請求項１６】
前記少なくとも１つのプロセスのうちのターゲットプロセスのために、第１の搬送波を選択することは、
前記ターゲットプロセスに対応する優先度を取得することと、
前記ターゲットプロセスに対応する優先度に基づき、前記優先度に対応する搬送波集合を決定することと、
前記搬送波集合から第１の搬送波を選択することと、を含み、異なる優先度に対応する搬送波集合が異なることを特徴とする
請求項１〜５のいずれか１項に記載の方法。
【請求項１７】
端末装置であって、
少なくとも１つの初期搬送波で少なくとも１つのプロセスを実行するように構成される通信ユニットであって、異なるプロセスが同一又は異なる初期搬送波で実行される通信ユニットと、
前記少なくとも１つのプロセスのうちのターゲットプロセスのために、前記初期搬送波と同一又は異なる第１の搬送波を選択するように構成される選択ユニットと、を備え、
前記通信ユニットは、さらに、前記第１の搬送波で前記ターゲットプロセスのデータの少なくとも一部を運搬するように構成されることを特徴とする端末装置。
【請求項１８】
前記通信ユニットは、さらに、前記第１の搬送波のデータ運搬状況に基づき、前記第１の搬送波で前記ターゲットプロセスのデータの全部又は一部を運搬するかを決定するように構成され、
前記データ運搬状況は、
搬送波がプロセスのデータの全部を運搬できるか否か、及び／又は、搬送波の優先度を示すことを少なくとも含むことを特徴とする
請求項１７に記載の端末装置。
【請求項１９】
前記通信ユニットは、前記第１の搬送波のデータ運搬状況が前記ターゲットプロセスのデータの全部を運搬できると示す場合、前記第１の搬送波で前記ターゲットプロセスのデータの全部を運搬すること、そうではない場合、前記第１の搬送波で前記ターゲットプロセスのデータの一部を運搬するように構成されることを特徴とする請求項１８に記載の端末装置。
【請求項２０】
前記通信ユニットは、前記ターゲットプロセスの優先度が前記第１の搬送波の優先度とマッチングする場合、前記第１の搬送波で前記ターゲットプロセスのデータの全部を運搬すること、そうではない場合、前記第１の搬送波で前記ターゲットプロセスのデータの一部を運搬するように構成されることを特徴とする請求項１８に記載の端末装置。
【請求項２１】
前記通信ユニットは、前記第１の搬送波のデータ運搬状況が前記ターゲットプロセスのデータの全部を運搬できることを示し、前記ターゲットプロセスの優先度が前記第１の搬送波の優先度とマッチングする場合、前記第１の搬送波で前記ターゲットプロセスのデータの全部を運搬すること、そうではない場合、前記第１の搬送波で前記ターゲットプロセスのデータの一部を運搬するように構成されることを特徴とする
請求項１８に記載の端末装置。
【請求項２２】
前記通信ユニットは、一部のデータを除く前記ターゲットプロセスの余剰なデータのために、搬送波選択を再実行して第２の搬送波が得られ、前記第２の搬送波で前記ターゲットプロセスの余剰なデータを運搬するように構成されることを特徴とする
請求項１９〜２１のいずれか１項に記載の端末装置。
【請求項２３】
前記通信ユニットは、前記第１の搬送波のデータ運搬状況が前記ターゲットプロセスのデータの全部を運搬できると示し、前記端末装置が前記第１の搬送波で実行可能なプロセス数が閾値よりも小さい場合、前記ターゲットプロセスのデータの全部を運搬する新しいプロセスを前記第１の搬送波で生成するように構成されることを特徴とする
請求項１９〜２１のいずれか１項に記載の端末装置。
【請求項２４】
前記通信ユニットは、前記第１の搬送波のデータ運搬状況が前記ターゲットプロセスのデータの全部を運搬できると示し、前記端末装置が前記第１の搬送波で実行可能なプロセス数が閾値に等しい場合、前記第１の搬送波で実行されるターゲットプロセス以外のプロセスから調整可能なプロセスを選択し、前記調整可能なプロセスのデータの全部及び前記ターゲットプロセスのデータの全部を調整された予約リソースに運搬するように構成されることを特徴とする
請求項１９〜２１のいずれか１項に記載の端末装置。
【請求項２５】
前記通信ユニットは、前記第１の搬送波のデータ運搬状況が前記ターゲットプロセスのデータの全部を運搬できると示し、前記端末装置が前記第１の搬送波で実行可能なプロセス数が閾値に等しい場合、前記第１の搬送波で単一データパケットの形態を用いて前記ターゲットプロセスのデータの全部を送信するように構成されることを特徴とする
請求項１９〜２１のいずれか１項に記載の端末装置。
【請求項２６】
前記少なくとも１つのプロセスのそれぞれに対応する再選択タイマーに基づき、プロセスがリソース再選択を実行する必要があるか否かを判断し、リソース再選択を実行する必要があるプロセスを決定した場合、前記プロセスをターゲットプロセスとする判断ユニットをさらに備えることを特徴とする
請求項１７〜２１のいずれか１項に記載の端末装置。
【請求項２７】
リソースプール構成又はリソースプール再構成を実行する搬送波があるか否かを判断し、
リソースプール構成又はリソースプール再構成を実行する搬送波がある場合、前記搬送波から少なくとも１つのプロセスをターゲットプロセスとして選択するように構成される判断ユニットをさらに備えることを特徴とする
請求項１７〜２１のいずれか１項に記載の端末装置。
【請求項２８】
実行中のデータ量を運搬できない搬送波のプロセスが少なくとも１つあるか否かを判断し、
ある場合、前記搬送波で実行されている少なくとも１つのプロセスからターゲットプロセスを選択するように構成される判断ユニットをさらに備えることを特徴とする
請求項１７〜２１のいずれか１項に記載の端末装置。
【請求項２９】
少なくとも１つの搬送波の少なくとも１つのプロセスに運搬されるデータ量を取得し、前記少なくとも１つの搬送波の少なくとも１つのプロセスに運搬されるデータ量がサービスデータ量よりも少ない場合、前記少なくとも１つの搬送波で運搬される少なくとも１つのプロセスからターゲットプロセスを選択するように構成される判断ユニットをさらに備えることを特徴とする
請求項１７〜２１のいずれか１項に記載の端末装置。
【請求項３０】
予め設定された時間に、搬送波で伝送又は再伝送が継続的に実行されない場合、前記搬送波上のプロセスをターゲットプロセスとして選択するように構成される判断ユニットをさらに備えることを特徴とする
請求項１７〜２１のいずれか１項に記載の端末装置。
【請求項３１】
Ｎ（Ｎは整数）個の連続的な伝送タイミングに搬送波でデータ伝送が実行されない場合、前記搬送波上のプロセスをターゲットプロセスとして選択するように構成される判断ユニットをさらに備えることを特徴とする
請求項１７〜２１のいずれか１項に記載の端末装置。
【請求項３２】
前記選択ユニットは、前記ターゲットプロセスに対応する優先度を取得し、前記ターゲットプロセスに対応する優先度に基づき、前記優先度に対応する搬送波集合を決定し、前記搬送波集合から第１の搬送波を選択するように構成され、異なる優先度に対応する搬送波集合が異なることを特徴とする
請求項１７〜２１のいずれか１項に記載の端末装置。
【請求項３３】
プロセッサ及びプロセッサで実行可能なコンピュータプログラムを記憶するメモリを備えた端末装置であって、
前記プロセッサは前記コンピュータプログラムを実行するときに、請求項１〜１４のいずれか１項に記載の前記方法のステップを実行することを特徴とする端末装置。
【請求項３４】
コンピュータ実行可能な命令が記憶されるコンピュータ記憶媒体であって、
前記コンピュータ実行可能な命令が実行されるときに請求項１〜１４のいずれか１項に記載の方法のステップが実施することを特徴とするコンピュータ記憶媒体。
【発明の詳細な説明】
【技術分野】
【０００１】
本発明は自動車のインターネットの技術分野に関し、特に搬送波選択方法、端末装置、及びコンピュータ記憶媒体に関する。
【背景技術】
【０００２】
自動車のインターネットシステムは、ＬＴＥ−Ｄ２Ｄに基づくサイドリンク伝送技術（ＳＬ：Ｓｉｄｅｌｉｎｋ、サイドリンク）であり、基地局を介して通信データを受信又は送信する従来のＬＴＥシステムの方式とは異なり、自動車のインターネットシステムは、エンドツーエンドで直接通信する方式を用いるため、効率がより高く、伝送遅延がより低い。
【０００３】
自動車のインターネット技術（Ｖ２Ｘ）は３ＧＰＰ  Ｒｅｌ−１４で標準化され、モード３とモード４の２つの伝送モードが定義される。モード４では、車載端末がセンシング（ｓｅｎｓｉｎｇ）＋予約（ｒｅｓｅｒｖａｔｉｏｎ）の伝送方式を用いる。車載端末はセンシング方式によりリソースプールから利用可能な伝送リソース集合を取得し、端末は該集合からリソースをランダムに選択してデータ伝送を行う。自動車のインターネットシステムにおけるサービスが周期的である特性を有するため、端末は、一般的には、半静的な伝送方式を用い、すなわち、端末は伝送リソースを選択した後、該リソースを複数の伝送サイクルで継続的に使用し、そのため、リソース再選択及びリソース競合の確率を下げる。端末は、次回の伝送リソースを予約するための情報を今回伝送された制御情報に携帯させ、それにより、他の端末は該ユーザの制御情報を検出することで、このリソースが該ユーザにより予約し使用されるかを判断し、リソース競合を低減させるという目的が達成される。
【０００４】
しかしながら、端末のためにリソースを選択する上記方式は、より多くの応用シーンに適用できなくなり、特に１つの端末内の複数の搬送波選択のシーンに適用できなくなる。
【発明の概要】
【発明が解決しようとする課題】
【０００５】
上記技術的課題を解決するために、本発明の実施例は搬送波選択方法、端末装置、及びコンピュータ記憶媒体を提供する。
【課題を解決するための手段】
【０００６】
本発明の実施例により提供された、端末装置に適用される搬送波選択方法であって、前記方法は、
少なくとも１つの初期搬送波で少なくとも１つのプロセスを実行することであって、異なるプロセスが同一又は異なる初期搬送波で実行されることと、
前記少なくとも１つのプロセスのうちのターゲットプロセスのために、前記初期搬送波と同一又は異なる第１の搬送波を選択することと、
前記第１の搬送波で前記ターゲットプロセスのデータの少なくとも一部を運搬（Ｃａｒｒｙ）することと、を含む。
【０００７】
本発明の実施例により提供された端末装置であって、前記端末装置、
少なくとも１つの初期搬送波で少なくとも１つのプロセスを実行するように構成される通信ユニットであって、異なるプロセスが同一又は異なる初期搬送波で実行される通信ユニットと、
前記少なくとも１つのプロセスのうちのターゲットプロセスのために、前記初期搬送波と同一又は異なる第１の搬送波を選択するように構成される選択ユニットと、を備え、
前記通信ユニットは、さらに、前記第１の搬送波で前記ターゲットプロセスのデータの少なくとも一部を運搬するように構成される。
【０００８】
本発明の実施例により提供された端末装置であって、該端末装置はプロセッサ及びプロセッサで実行可能なコンピュータプログラムを記憶するためのメモリを備え、
前記プロセッサは前記コンピュータプログラムを実行するように構成されるとき、上記方法のステップを実行する。
【０００９】
本発明の実施例により提供されたコンピュータ記憶媒体には、実行されるときに本発明の実施例の搬送波選択方法を達成するコンピュータ実行可能な命令が記憶される。
【００１０】
本発明の実施例に係る技術案は、複数の搬送波で複数のプロセスを実行するシーンで、複数のプロセスのうちのターゲットプロセスに対して搬送波再選択を行い、それにより、端末装置に対して実行される複数のプロセスのうちのいずれかが独立して搬送波再選択を実行する処理が実現され、端末装置の搬送波選択に対してより多くの処理シーンを提供する。
【図面の簡単な説明】
【００１１】
【図１】図１は本発明の実施例に係る搬送波選択方法の概略フローチャートである。
【図２】図２はリソース割り当てシーンの概略図である。
【図３】図３は本発明の実施例に係る端末装置からなる概略構造図である。
【図４】図４は本発明の実施例に係る端末装置のハードウェアアーキテクチャを示す概略図である。
【発明を実施するための形態】
【００１２】
本発明の実施例の特徴と技術内容を詳細に理解するために、以下、図面を参照しながら本発明の実施例の実現を詳細に説明し、添付図面は単に説明のためのものにすぎず、本発明の実施例を限定するものではない。
【００１３】
実施例１
本願は搬送波選択方法を提供し、端末装置に適用され、図１に示すとおり、該方法は、
少なくとも１つの初期搬送波で少なくとも１つのプロセスを実行するステップ１０１であって、異なるプロセスが同一又は異なる初期搬送波で実行されるステップ１０１と、
前記少なくとも１つのプロセスのうちのターゲットプロセスのために、前記初期搬送波と同一又は異なる第１の搬送波を選択するステップ１０２と、
前記第１の搬送波で前記ターゲットプロセスのデータの少なくとも一部を運搬するステップ１０３と、を含む。
【００１４】
前記少なくとも１つのプロセスは前記端末装置が実行可能な複数のプロセスであり、すなわち、少なくとも１つは２つ以上であってもよい。
【００１５】
さらに、各プロセスの搬送波選択が独立して実行でき、たとえば、ユーザは異なる搬送波でＡ、Ｂ、Ｃ、Ｄの４つのプロセスを独立して実行し、搬送波１でＡとＢを実行し、搬送波２でＣとＤを実行し、このようにしてＡ／Ｂ／Ｃ／Ｄの４つのプロセスの搬送波選択を個別に実行することが実現される。
【００１６】
なお、本願により提供された実施例におけるプロセスのそれぞれは、予約リソースを使用するとき、搬送波選択を実行せず、リソース再選択を実行する必要があるとき、搬送波選択を実行する。
【００１７】
リソース再選択を必要とするプロセスのトリガー方式は、以下のいくつかの方式を含む。
【００１８】
第一の方式
リソース再選択タイマーの長さに基づいてプロセスをターゲットプロセスとしてトリガーしてリソース再選択を実行するかを決定し、
すなわち、前記少なくとも１つのプロセスのそれぞれに対応するリソース再選択タイマーに基づき、プロセスがリソース再選択を実行する必要があるか否かを判断し、リソース再選択を実行する必要があるプロセスを決定した場合、前記プロセスをターゲットプロセスとする。
【００１９】
例をあげて、時点１に、Ａが元のセンシング予約メカニズムに基づいてリソース再選択を実行し、Ｂ／Ｃ／Ｄの再選択タイマーがタイムアウトせず、リソース再選択時点ではない場合、Ａは搬送波再選択を実行でき、Ｂ／Ｃ／Ｄは搬送波選択を実行しない。すなわち、プロセスＡの再選択タイマーがタイムアウトした場合、プロセスＡをターゲットプロセスとする。
【００２０】
第二の方式
リソースプール構成又はリソースプール再構成を実行する搬送波があるか否かを判断し、
リソースプール構成又はリソースプール再構成を実行する搬送波がある場合、前記搬送波から少なくとも１つのプロセスをターゲットプロセスとして選択する。
【００２１】
前記搬送波がリソースプール構成又はリソースプール再構成を実行するとき、該搬送波におけるすべてのプロセスのいずれかをターゲットプロセスとすることができ、すなわち、プロセスのすべてに対して搬送波再選択を実行し、
もちろん、搬送波再構成又は構成が実行されると、リソースプール構成量が少なくなり、搬送波で実行されるプロセスのいずれかをターゲットプロセスとして選択でき、この選択方式は実際の状況に応じて選択してもよく、ランダムに選択してもよく、実際の状況に応じた前記選択は、データ量が最も大きいプロセスを選択してもよく、又は、データ量が最も小さいプロセスを選択してもよく、具体的な規則は実際の処理状況に応じて限定され、本実施例では詳細は省略する。
【００２２】
第三の方式
実行中のデータ量を運搬できない搬送波のプロセスが少なくとも１つあるか否かを判断し、
ある場合、前記搬送波で実行されている少なくとも１つのプロセスからターゲットプロセスを選択する。
【００２３】
すなわち、搬送波で実行されているプロセスのデータ量に応じて判断でき、データ量の急速な増加により、搬送波が実行中のすべてのプロセスを運搬できなくなる可能性がある。
【００２４】
このような場合、リソース再選択を実行するために運搬されている複数のプロセスから１つ又は複数をターゲットプロセスとして選択する必要がある。
【００２５】
第四の方式
予め設定された時間に、搬送波で伝送又は再伝送が継続的に実行されない場合、前記搬送波上のプロセスをターゲットプロセスとして選択する。
【００２６】
第五の方式
Ｎ（Ｎは整数）個の連続的な伝送タイミングに搬送波でデータ伝送が実行されない場合、前記搬送波上のプロセスをターゲットプロセスとして選択する。Ｎは実際の状況に応じて設定でき、たとえば、１０個の連続的な伝送タイミングとして設定でき、又は、２０個の伝送タイミングとして設定でき、いずれも柔軟に調整でき、本願では詳細は省略する。
【００２７】
第六の方式
少なくとも１つの搬送波の少なくとも１つのプロセスに運搬されるデータ量を取得し、
前記少なくとも１つの搬送波の少なくとも１つのプロセスに運搬されるデータ量がサービスデータ量よりも少ない場合、前記少なくとも１つの搬送波で運搬される少なくとも１つのプロセスからターゲットプロセスを選択する。
【００２８】
すなわち、上記複数のトリガー方式との区別は以下のとおりである。本方式は複数の搬送波のデータ運搬量の合計に基づいて判断することであり、複数の搬送波での複数のプロセスのデータ運搬量の合計がサービスデータ量よりも少ない場合、複数の搬送波で実行される複数プロセスの１つ以上をターゲットプロセスとして選択し、さらに選択されたターゲットプロセスに対してリソース再選択を実行する必要がある。
【００２９】
さらに、前記少なくとも１つのプロセスのうちのターゲットプロセスのために、第１の搬送波を選択することは、
前記ターゲットプロセスに対応する優先度を取得することと、
前記ターゲットプロセスに対応する優先度に基づき、前記優先度に対応する搬送波集合を決定することと、
前記搬送波集合から第１の搬送波を選択することと、を含み、異なる優先度に対応する搬送波集合が異なる。
【００３０】
すなわち、搬送波再選択を実行するプロセス（たとえばＡ）について、搬送波再選択時にｂｕｆｆｅｒ内のデータ優先度を考慮し、高優先度のデータもあり、低優先度のデータもある場合、高優先度のデータに基づいて搬送波選択を実行する。すなわち、優先度が異なると、利用可能な搬送波集合も異なる。異なる搬送波集合には一部の搬送波が同一である場合もあるが、異なる搬送波集合には必然的に異なる搬送波があると理解される。
【００３１】
前記した前記第１の搬送波で前記ターゲットプロセスのデータの少なくとも一部を運搬することは、
前記第１の搬送波のデータ運搬状況に基づき、前記第１の搬送波で前記ターゲットプロセスのデータの全部又は一部を運搬するかを決定することを含む。前記データ運搬状況は、
搬送波がプロセスのデータの全部を運搬できるか否か、及び／又は、搬送波の優先度を示すことを少なくとも含む。
【００３２】
以下、ターゲットプロセスが異なるデータ運搬状況の第１の搬送波を選択する処理シーンを説明する。
【００３３】
シーン１
前記第１の搬送波のデータ運搬状況が前記ターゲットプロセスのデータの全部を運搬できると示す場合、前記第１の搬送波で前記ターゲットプロセスのデータの全部を運搬する。
【００３４】
このようなシーンで、さらに以下の２つのサブシーンに分けられ、
サブシーン１において、前記第１の搬送波のデータ運搬状況が前記ターゲットプロセスのデータの全部を運搬できると示し、前記端末装置が前記第１の搬送波で実行可能なプロセス数が閾値よりも小さい場合、前記ターゲットプロセスのデータの全部を運搬する新しいプロセスを前記第１の搬送波で生成する。
【００３５】
すなわち、搬送波再選択を実行するプロセス（たとえばＡ）が１つの搬送波、たとえば、搬送波Ｘを選択する場合、搬送波Ｘは上記搬送波１又は搬送波２であってもよく、又は、上記搬送波１と搬送波２のいずれかとは異なってもよい。
【００３６】
搬送波Ｘが前記端末装置のプロセスＡのすべてのｂｕｆｆｅｒ内のデータ（Ｒｅｌ−１４のＶ２ｘプロトコルにより、各ユーザが各搬送波で運搬可能なデータの制限はユーザの速度、チャネルビジー率（ＣＢＲ）、及びデータ優先度により求められる）を運搬でき、該搬送波でのユーザのプロセス数が最大制限（たとえば、各ユーザが１つの搬送波で多くとも２つのプロセスを持って、該ユーザが０又は１のみを使用している）よりも小さい場合、プロセスＡは搬送波Ｘを選択して、新しいプロセスを生成する。
【００３７】
なお、各々の搬送波で運搬可能なデータ量は、端末装置の関連パラメータ、及び異なるプロセスのデータに対応する優先度等のパラメータに基づいて計算して確定できる。
【００３８】
さらに、異なる端末装置が異なる搬送波で実行可能なプロセス数に対して閾値を設定してもよい。具体的な閾値の数は、実際の状況に応じて設定でき、たとえば、２以上であってもよいが、本実施例では詳細は省略する。
【００３９】
サブシーン２において、前記第１の搬送波のデータ運搬状況が前記ターゲットプロセスのデータの全部を運搬できると示し、前記端末装置が前記第１の搬送波で実行可能なプロセス数が閾値に等しい場合、前記第１の搬送波で実行されるターゲットプロセス以外のプロセスから調整可能なプロセスを選択し、前記調整可能なプロセスのデータの全部及び前記ターゲットプロセスのデータの全部を調整された予約リソースに運搬する。
【００４０】
該搬送波がすべてのｂｕｆｆｅｒ内のデータを運搬できるが、該搬送波でのユーザのプロセス数が最大制限（たとえば、各ユーザが１つの搬送波で多くとも２つのプロセスを持って、該ユーザが２つ又は１つのみを使用する）に等しい場合、プロセスＡが搬送波Ｘを選択し、
又は、該搬送波での既存プロセス、たとえば、既存プロセスＣを中断し、Ｃの予約リソースを増やし、それにより、ＡとＣの２つのプロセスのデータを運搬する。
【００４１】
又は、
前記第１の搬送波のデータ運搬状況が前記ターゲットプロセスのデータの全部を運搬できると示し、前記端末装置が前記第１の搬送波で実行可能なプロセス数が閾値に等しい場合、前記第１の搬送波で単一データパケットの形態を用いて前記ターゲットプロセスのデータの全部を送信する。
【００４２】
すなわち、該搬送波で単一データパケットを選択して送信し、すなわち、リソース予約（すなわちマルチデータパケット送信）を停止させる。
【００４３】
シーン２
前記第１の搬送波のデータ運搬状況が前記ターゲットプロセスのデータの全部を運搬できないと示す場合、前記第１の搬送波で前記ターゲットプロセスのデータの一部を運搬する。
【００４４】
本シーンでは、具体的にターゲットプロセスのどのデータを第１の搬送波で運搬するかは、ランダムに選択でき、本実施例では詳細は省略する。
【００４５】
前記した前記第１の搬送波で前記ターゲットプロセスのデータの一部を運搬することは、さらに、
一部のデータを除く前記ターゲットプロセスの余剰なデータのために、搬送波選択を改めて実行し、第２の搬送波が得られ、前記第２の搬送波で前記ターゲットプロセスの余剰なデータを運搬することをさらに含む。
【００４６】
すなわち、該搬送波でｂｕｆｆｅｒ内のデータの全部を運搬できない場合、プロセスＡの一部のリソースが搬送波Ｘに再選択され、上記プロセスに基づいてデータ割り当てを実行し、
残りのｂｕｆｆｅｒ内のデータに対して、リソース再選択（ｂｕｆｆｅｒ内のデータに対して、該ステップを繰り返して行う）を改めて実行し、上記プロセスに基づいて搬送及びデータ割り当てを実行する。
【００４７】
シーン３
前記ターゲットプロセスの優先度が前記第１の搬送波の優先度とマッチングする場合、前記第１の搬送波で前記ターゲットプロセスのデータの全部を運搬し、そうではない場合、前記第１の搬送波で前記ターゲットプロセスのデータの一部を運搬する。
【００４８】
なお、ターゲットプロセスの優先度が実際の状況に応じて設定でき、前記ターゲットプロセスの優先度が第１の搬送波の優先度とマッチングすることは、ターゲットプロセスの優先度が前記第１の搬送波の優先度範囲内であることを意味し、たとえば、ターゲットプロセスの優先度が１であり、第１の搬送波の優先度には１以上含まれてもよく、第１の搬送波の優先度が１、２、３というレベルに分けられてもよく、ターゲットプロセスの優先度が第１の搬送波の優先度範囲内である。このとき、ターゲットプロセスのデータの全部は第１の搬送波で運搬することができ、それに対して、ターゲットプロセスのデータの一部は第１の搬送波で運搬することができ、余剰なデータは上記シーンと同一の方式を用いて他の搬送波で運搬できる。
【００４９】
本シーンでは、ターゲットプロセスの優先度が本実施例の上記ターゲットプロセスの優先度と同一又は異なり、前記ターゲットプロセスの優先度は以上のように第１の搬送波を決定でき、さらに、本シーンでは、第１の搬送波でデータの全部を伝送できるか否かを判断できる。
【００５０】
さらに、ターゲットプロセスの優先度が複数のサブ優先度パラメータで構成されてもよく、たとえば、上記搬送波選択を実行するとき、搬送波でサブ優先度を選択して処理してもよく、本シーンではデータ搬送用サブ優先度で処理することができる。
【００５１】
もちろん、他の達成方式もあり、本実施例では詳細は省略する。
【００５２】
シーン４
前記第１の搬送波のデータ運搬状況が前記ターゲットプロセスのデータの全部を運搬できることを示し、前記ターゲットプロセスの優先度が前記第１の搬送波の優先度とマッチングする場合、前記第１の搬送波で前記ターゲットプロセスのデータの全部を運搬し、そうではない場合、前記第１の搬送波で前記ターゲットプロセスのデータの一部を運搬する。
【００５３】
本シーンが上記シーンの条件の集合であると理解でき、すなわち、第１の搬送波がデータの全部を運搬できるだけではなく、その優先度がマッチングする場合、ターゲットプロセスのデータの全部を運搬し、そうではない場合、ターゲットプロセスのデータの一部を該搬送波で運搬し、余剰な部分を他の搬送波で運搬する。
【００５４】
シーン３と同様に、本シーンでは、ターゲットプロセスの優先度が本実施例の上記ターゲットプロセスの優先度と同一又は異なり、前記ターゲットプロセスの優先度は以上のように第１の搬送波を決定でき、さらに、本シーンでは、第１の搬送波でデータの全部を伝送できるか否かを判断できる。
【００５５】
さらに、ターゲットプロセスの優先度が複数のサブ優先度パラメータで構成されてもよく、たとえば、上記搬送波選択を実行するとき、搬送波でサブ優先度を選択して処理してもよく、本シーンではデータ搬送用サブ優先度で処理することができる。
【００５６】
もちろん、他の達成方式もあり、本実施例では詳細は省略する。
【００５７】
従来技術におけるセンシング予約方式は、図２に示され、時点ｎに新しいデータパケットが送信され、リソース選択を実行するとき、端末は過去１秒間のセンシング結果に応じて、［ｎ＋Ｔ１、ｎ＋Ｔ２］ミリ秒以内にリソース選択を実行し、Ｔ１＝４、２０≦Ｔ２≦１００である。
【００５８】
端末が選択ウィンドウ内でリソース選択を実行するプロセスは、端末が選択ウィンドウ内のすべての利用可能なリソースを集合Ａとして、集合Ａ内のリソースに対して除外操作を実行し、端末センシングウィンドウ内のいくつかのサブフレームにセンシング結果がない場合、選択ウィンドウ内の対応するこれらのサブフレームにおけるリソースが除外され、端末センシングウィンドウ内にＰＳＣＣＨが検出され、対応するＰＳＳＣＨ−ＲＳＲＰが閾値よりも高く、該制御情報に予約される次の伝送リソースと本ユーザの送信対象となるデータとが競合する場合、ユーザが該リソースを集合Ａから除外することを含む。
【００５９】
端末は集合Ａ内の余剰なリソースに対してＳ−ＲＳＳＩ検出を行い、エネルギーレベルに応じて並べ替え、エネルギーが最も低い２０％（集合Ａ内のリソース数に対応）リソースを集合Ｂに入れ、端末が集合Ｂからリソースを等確率で選択してデータ伝送を実行する。
【００６０】
従来技術の上記技術案は、Ｒｅｌ−１５に拡大される多搬送波シーンを考慮することがなく、本実施例により提供された技術案を用いると、複数の搬送波で複数プロセスを実行するシーンで、複数のプロセスにおけるターゲットプロセスに対して搬送波再選択を実行し、それにより、端末装置で実行されている複数のプロセスのうちのいずれかに対して搬送波再選択処理を独立して実行することを達成でき、端末装置による搬送波選択の実行により多くの処理シーンを提供する。
【００６１】
実施例２
本願は端末装置を提供し、図３に示され、該端末装置は、
少なくとも１つの初期搬送波で少なくとも１つのプロセスを実行するように構成される通信ユニット３１であって、異なるプロセスが同一又は異なる初期搬送波で実行される通信ユニット３１と、
前記少なくとも１つのプロセスのうちのターゲットプロセスのために、前記初期搬送波と同一又は異なる第１の搬送波を選択するように構成される選択ユニット３２と、を備え、
前記通信ユニット３１は、さらに、前記第１の搬送波で前記ターゲットプロセスのデータの少なくとも一部を運搬するように構成される。
【００６２】
前記少なくとも１つのプロセスは前記端末装置が実行可能な複数のプロセスであり、すなわち、少なくとも１つは２つ以上であってもよい。
【００６３】
さらに、各プロセスの搬送波選択が独立して実行でき、たとえば、ユーザは異なる搬送波でＡ、Ｂ、Ｃ、Ｄの４つのプロセスを独立して実行し、搬送波１でＡとＢを実行し、搬送波２でＣとＤを実行し、このようにしてＡ／Ｂ／Ｃ／Ｄの４つのプロセスの搬送波選択を個別に実行することが実現される。
【００６４】
なお、本願により提供された実施例におけるプロセスのそれぞれは、予約リソースを使用するとき、搬送波選択を実行せず、リソース再選択を実行する必要があるとき、搬送波選択を実行する。
【００６５】
リソース再選択を必要とするプロセスのトリガー方式は、以下のいくつかの方式を含む。
【００６６】
第一の方式
リソース再選択タイマーの長さに基づいてプロセスをターゲットプロセスとしてトリガーしてリソース再選択を実行するかを決定し、
具体的には、前記端末装置は、
前記少なくとも１つのプロセスのそれぞれに対応する再選択タイマーに基づき、プロセスがリソース再選択を必要するか否かを判断し、リソース再選択を実行する必要があるプロセスを決定した場合、前記プロセスをターゲットプロセスとするように構成される判断ユニット３３をさらに備える。
【００６７】
例をあげて、時点１に、Ａが元のセンシング予約メカニズムに基づいてリソース再選択を実行し、Ｂ／Ｃ／Ｄの再選択タイマーがタイムアウトせず、リソース再選択時点ではない場合、Ａは搬送波再選択を実行でき、Ｂ／Ｃ／Ｄは搬送波選択を実行しない。すなわち、プロセスＡの再選択タイマーがタイムアウトした場合、プロセスＡをターゲットプロセスとする。
【００６８】
第二の方式
リソースプール構成又はリソースプール再構成を実行する搬送波があるか否かを判断し、
リソースプール構成又はリソースプール再構成を実行する搬送波がある場合、前記搬送波から少なくとも１つのプロセスをターゲットプロセスとして選択する。
【００６９】
前記搬送波がリソースプール構成又はリソースプール再構成を実行するとき、該搬送波におけるすべてのプロセスのいずれかをターゲットプロセスとすることができ、すなわち、プロセスのすべてに対して搬送波再選択を実行し、
もちろん、搬送波が再構成又は構成され、リソースプールの構成量が少なくなる場合、搬送波で実行されるプロセスのいずれかをターゲットプロセスとして選択でき、この選択方式は実際の状況に応じて選択してもよく、ランダムに選択してもよく、実際の状況に応じた前記選択は、データ量が最も大きいプロセスを選択してもよく、又は、データ量が最も小さいプロセスを選択してもよく、具体的な規則は実際の処理状況に応じて限定され、本実施例では詳細は省略する。
【００７０】
第三の方式
実行中のデータ量を運搬できない搬送波のプロセスが少なくとも１つあるか否かを判断し、
ある場合、前記搬送波で実行されている少なくとも１つのプロセスからターゲットプロセスを選択する。
【００７１】
すなわち、搬送波で実行されているプロセスのデータ量に応じて判断でき、特定のプロセスのデータ量が急速に増加すると、搬送波で実行中のすべてのプロセスを運搬できなくなる。
【００７２】
このような場合、リソース再選択を実行するために運搬されている複数のプロセスから１つ又は複数をターゲットプロセスとして選択する必要がある。
【００７３】
第四の方式
予め設定された時間に、搬送波で伝送又は再伝送が継続的に実行されない場合、前記搬送波上のプロセスをターゲットプロセスとして選択する。
【００７４】
第五の方式
Ｎ（Ｎは整数）個の連続的な伝送タイミングに搬送波でデータ伝送が実行されない場合、前記搬送波上のプロセスをターゲットプロセスとして選択する。Ｎは実際の状況に応じて設定でき、たとえば、１０個の連続的な伝送タイミングとして設定でき、又は、２０個の伝送タイミングとして設定でき、いずれも柔軟に調整でき、本願では詳細は省略する。
【００７５】
第六の方式
少なくとも１つの搬送波の少なくとも１つのプロセスに運搬されるデータ量を取得し、
前記少なくとも１つの搬送波の少なくとも１つのプロセスに運搬されるデータ量がサービスデータ量よりも少ない場合、前記少なくとも１つの搬送波で運搬される少なくとも１つのプロセスからターゲットプロセスを選択する。
【００７６】
すなわち、上記複数種のトリガー方式との区別は以下のとおりである。本方式は複数の搬送波のデータ運搬量の合計に基づいて判断することであり、複数の搬送波での複数のプロセスのデータ運搬量の合計がデータ量閾値を超える場合、複数の搬送波で実行される複数プロセスの１以上をターゲットプロセスとして選択し、さらに選択されたターゲットプロセスに対してリソース再選択を実行する。
【００７７】
さらに、前記選択ユニットは、前記ターゲットプロセスに対応する優先度を取得し、
前記ターゲットプロセスに対応する優先度に基づき、前記優先度に対応する搬送波集合を決定し、
前記搬送波集合から第１の搬送波を選択するように構成され、異なる優先度に対応する搬送波集合が異なる。
【００７８】
すなわち、搬送波再選択を実行するプロセス（たとえばＡ）について、搬送波再選択時にｂｕｆｆｅｒ内のデータ優先度を考慮し、高優先度のデータもあり、低優先度のデータもある場合、高優先度のデータに基づいて搬送波選択を実行する。すなわち、優先度が異なると、利用可能な搬送波集合も異なる。異なる搬送波集合には一部の搬送波が同一である場合もあるが、異なる搬送波集合には必然的に異なる搬送波があると理解される。
【００７９】
前記通信ユニットは、さらに、前記第１の搬送波のデータ運搬状況に基づき、前記第１の搬送波で前記ターゲットプロセスのデータの全部又は一部を運搬するかを決定するように構成される。前記データ運搬状況は、搬送波で運搬されているデータの状況と理解されてもよく、又は、搬送波で運搬可能なデータの状況と理解されてもよい。
【００８０】
以下、ターゲットプロセスが異なるデータ運搬状況の第１の搬送波を選択した後の処理シーンを説明する。
【００８１】
シーン１
前記第１の搬送波のデータ運搬状況が前記ターゲットプロセスのデータの全部を運搬できると示し、前記第１の搬送波で前記ターゲットプロセスのデータの全部を運搬する。
【００８２】
このようなシーンで、さらに以下の２つのサブシーンに分けられ、
サブシーン１において、前記第１の搬送波のデータ運搬状況が前記ターゲットプロセスのデータの全部を運搬できると示し、前記端末装置が前記第１の搬送波で実行可能なプロセス数が閾値よりも小さい場合、前記ターゲットプロセスのデータの全部を運搬する新しいプロセスを前記第１の搬送波で生成する。
【００８３】
すなわち、搬送波再選択を実行するプロセス（たとえばＡ）が１つの搬送波、たとえば、搬送波Ｘを選択する場合、搬送波Ｘは上記搬送波１又は搬送波２であってもよく、又は、上記搬送波１と搬送波２のいずれかとは異なってもよい。
【００８４】
搬送波Ｘが前記端末装置のプロセスＡのすべてのｂｕｆｆｅｒ内のデータ（Ｒｅｌ−１４のＶ２ｘプロトコルにより、各ユーザが各搬送波で運搬可能なデータ制限はユーザの速度、ＣＢＲ、及びデータ優先度に基づいて求められる）を運搬でき、該搬送波でのユーザのプロセス数が最大制限（たとえば、各ユーザが１つの搬送波で多くとも２つのプロセスを持って、該ユーザが０又は１のみを使用している）よりも小さい場合、プロセスＡは搬送波Ｘを選択して、新しいプロセスを生成する。
【００８５】
なお、各々の搬送波で運搬可能なデータ量は、端末装置の関連パラメータ、及び異なるプロセスのデータに対応する優先度等のパラメータに基づいて計算して確定できる。
【００８６】
さらに、異なる端末装置が異なる搬送波で実行可能なプロセス数に対して閾値を設定してもよい。具体的な閾値の数は、実際の状況に応じて設定でき、たとえば、２以上であってもよいが、本実施例では詳細は省略する。
【００８７】
サブシーン２において、前記第１の搬送波のデータ運搬状況が前記ターゲットプロセスのデータの全部を運搬できると示し、前記端末装置が前記第１の搬送波で実行可能なプロセス数が閾値に等しい場合、前記第１の搬送波で実行されるターゲットプロセス以外のプロセスから調整可能なプロセスを選択し、前記調整可能なプロセスのデータの全部及び前記ターゲットプロセスのデータの全部を調整された予約リソースに運搬する。
【００８８】
該搬送波がすべてのｂｕｆｆｅｒ内のデータを運搬できるが、該搬送波でのユーザのプロセス数が最大制限（たとえば、各ユーザが１つの搬送波で多くとも２つのプロセスを持って、該ユーザが２つ又は１つのみを使用する）に等しい場合、プロセスＡが搬送波Ｘを選択し、
又は、該搬送波での既存プロセス、たとえば、既存プロセスＣを中断し、Ｃの予約リソースを増やし、それにより、ＡとＣの２つのプロセスのデータを運搬する。
【００８９】
又は、
前記第１の搬送波のデータ運搬状況が前記ターゲットプロセスのデータの全部を運搬できると示し、前記端末装置が前記第１の搬送波で実行可能なプロセス数が閾値に等しい場合、前記第１の搬送波で単一データパケットの形態を用いて前記ターゲットプロセスのデータの全部を送信する。
【００９０】
すなわち、該搬送波で単一データパケットを選択して送信し、すなわち、リソース予約（すなわちマルチデータパケット送信）を停止させる。
【００９１】
シーン２
前記第１の搬送波のデータ運搬状況が前記ターゲットプロセスのデータの全部を運搬できないと示す場合、前記第１の搬送波で前記ターゲットプロセスのデータの一部を運搬する。
【００９２】
本シーンでは、具体的にターゲットプロセスのどのデータを第１の搬送波で運搬するかは、ランダムに選択でき、本実施例では詳細は省略する。
【００９３】
前記した前記第１の搬送波で前記ターゲットプロセスのデータの一部を運搬することは、
一部のデータを除く前記ターゲットプロセスの余剰なデータのために、搬送波選択を改めて実行し、第２の搬送波が得られ、前記第２の搬送波で前記ターゲットプロセスの余剰なデータを運搬することをさらに含む。
【００９４】
すなわち、該搬送波でｂｕｆｆｅｒ内のデータの全部を運搬できない場合、プロセスＡの一部のリソースが搬送波Ｘに再選択され、上記プロセスに基づいてデータ割り当てを実行し、
残りのｂｕｆｆｅｒ内のデータに対して、リソース再選択（ｂｕｆｆｅｒ内のデータに対して、該ステップを繰り返して行う）を改めて実行し、上記プロセスに基づいて搬送及びデータ割り当てを実行する。
【００９５】
本実施例により提供された技術案を用いると、複数の搬送波で複数のプロセスが実行されるシーンで、複数のプロセスのうちのターゲットプロセスに対して搬送波再選択を実行し、それにより、端末装置で実行されている複数のプロセスのうちのいずれかに対して搬送波再選択処理を独立して実行することができ、端末装置の搬送波選択により多くの処理シーンを提供する。
【００９６】
シーン３
前記ターゲットプロセスの優先度が前記第１の搬送波の優先度とマッチングする場合、前記第１の搬送波で前記ターゲットプロセスのデータの全部を運搬し、そうではない場合、前記第１の搬送波で前記ターゲットプロセスのデータの一部を運搬する。
【００９７】
なお、ターゲットプロセスの優先度が実際の状況に応じて設定でき、前記ターゲットプロセスの優先度が第１の搬送波の優先度とマッチングすることは、ターゲットプロセスの優先度が前記第１の搬送波の優先度範囲内であることを意味し、たとえば、ターゲットプロセスの優先度が１であり、第１の搬送波の優先度には１以上含まれてもよく、第１の搬送波の優先度が１、２、３というレベルに分けられてもよく、ターゲットプロセスの優先度が第１の搬送波の優先度範囲内である。ターゲットプロセスのデータの全部は第１の搬送波で運搬することができ、それに対して、ターゲットプロセスのデータの一部は第１の搬送波で運搬することができ、余剰なデータは上記シーンと同一の方式を用いて他の搬送波で運搬できる。
【００９８】
本シーンでは、ターゲットプロセスの優先度が本実施例の上記ターゲットプロセスの優先度と同一又は異なり、前記ターゲットプロセスの優先度は以上のように第１の搬送波を決定でき、さらに、本シーンでは、第１の搬送波でデータの全部を伝送できるか否かを判断できる。
【００９９】
さらに、ターゲットプロセスの優先度が複数のサブ優先度パラメータで構成されてもよく、たとえば、上記搬送波選択を実行するとき、搬送波でサブ優先度を選択して処理してもよく、本シーンではデータ搬送用サブ優先度で処理することができる。
【０１００】
もちろん、他の達成方式もあり、本実施例では詳細は省略する。
【０１０１】
シーン４
前記第１の搬送波のデータ運搬状況が前記ターゲットプロセスのデータの全部を運搬できることを示し、前記ターゲットプロセスの優先度が前記第１の搬送波の優先度とマッチングする場合、前記第１の搬送波で前記ターゲットプロセスのデータの全部を運搬し、そうではない場合、前記第１の搬送波で前記ターゲットプロセスのデータの一部を運搬する。
【０１０２】
本シーンが上記シーンの条件の集合であると理解でき、すなわち、第１の搬送波がデータの全部を運搬できるだけではなく、その優先度がマッチングする場合、ターゲットプロセスのデータの全部を運搬し、そうではない場合、ターゲットプロセスのデータの一部を該搬送波で運搬し、余剰な部分を他の搬送波で運搬する。
【０１０３】
シーン３と同様に、本シーンでは、ターゲットプロセスの優先度が本実施例の上記ターゲットプロセスの優先度と同一又は異なり、前記ターゲットプロセスの優先度は以上のように第１の搬送波を決定でき、さらに、本シーンでは、第１の搬送波でデータの全部を伝送できるか否かを判断できる。
【０１０４】
さらに、ターゲットプロセスの優先度が複数のサブ優先度パラメータで構成されてもよく、たとえば、上記搬送波選択を実行するとき、搬送波でサブ優先度を選択して処理してもよく、本シーンではデータ搬送用サブ優先度で処理することができる。
【０１０５】
もちろん、他の達成方式もあり、本実施例では詳細は省略する。
【０１０６】
本発明の実施例は、図４に示すとおり、少なくとも１つのプロセッサ４１、メモリ４２、及び少なくとも１つのネットワークインターフェース４３を備える端末装置のハードウェア構成アーキテクチャをさらに提供する。各ユニットは、バスシステム４４を介して一体にカップリングされる。バスシステム４４はこれらのユニット間の接続通信を達成するように構成される。バスシステム４４はデータバスに加え、電源バス、制御バス、及びステータス信号バスをさらに含む。しかしながら、明確にするために、図１０では様々なバスをバスシステム４４としてマークする。
【０１０７】
本発明の実施例におけるメモリ４２は、揮発性メモリ又は不揮発性メモリであってもよく、又は、揮発性メモリ及び不揮発性メモリの両方を備えてもよいと理解されるべきである。
【０１０８】
いくつかの実施形態では、メモリ４２には、実行可能なモジュール又はデータ構造、又はそれらのサブセット、又はそれらのオペレーティングシステム４２１及びアプリケーションプログラム４２２のような拡張集合が記憶される。
【０１０９】
前記プロセッサ４１は、少なくとも１つの初期搬送波で少なくとも１つのプロセスを実行し、同一又は異なる初期搬送波で異なるプロセスを実行し、前記少なくとも１つのプロセスのうちのターゲットプロセスのために、前記初期搬送波と同一又は異なる第１の搬送波を選択し、前記第１の搬送波で前記ターゲットプロセスのデータの少なくとも一部を運搬するように構成される。
【０１１０】
本願は、コンピュータプログラムが記憶されるコンピュータ記憶媒体をさらに提供し、該コンピュータプログラムはプロセッサにより実行されるときに実施例１の前記方法のステップを達成する。該コンピュータプログラムがプロセッサにより実行されるときに実施例１で提供される方法の各ステップを達成し、ここで詳細な説明は省略する。
【０１１１】
本発明の実施例の上記装置は、ソフトウェア機能モジュールの形式で独立した製品として販売又は使用されるとき、１つのコンピュータ可読記憶媒体に記憶されてもよい。このような理解に基づき、本発明の実施例の技術案の本質又は従来技術に貢献する部分は、ソフトウェア製品の形式で具現されてもよく、該コンピュータソフトウェア製品は、１台のコンピュータ装置（パーソナルコンピュータ、サーバ又はネットワーク装置等であってもよい）に本発明の各実施例に記載の方法の全部又は一部を実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ  Ｏｎｌｙ  Ｍｅｍｏｒｙ）、磁気ディスク又は光ディスク等のプロクラムコードを記憶できる様々な媒体を含む。このように、本発明の実施例は特定のハードウェアとソフトウェアの組み合わせに限定されない。
【０１１２】
それに対応して、本発明の実施例は、コンピュータプログラムが記憶されるコンピュータ記憶媒体をさらに提供し、該コンピュータプログラムは本発明の実施例のデータスケジューリング方法を実行するように構成される。
【０１１３】
本発明の好ましい実施例は例示の目的で開示されたが、当業者は様々な修正、追加、及び置換も可能であることを認識し、したがって、本発明の範囲は上記の実施例に限定されるべきではない。
【図１】
2020537373.tif 000003
【図２】
2020537373.tif 000004
【図３】
2020537373.tif 000005
【図４】
2020537373.tif 000006
【手続補正書】
【提出日】令和2年8月18日(2020.8.18)
【手続補正１】
【補正対象書類名】特許請求の範囲
【補正対象項目名】全文
【補正方法】変更
【補正の内容】
【特許請求の範囲】
【請求項１】
端末装置に適用される搬送波選択方法であって、
少なくとも１つの初期搬送波で少なくとも１つのプロセスを実行することであって、異なるプロセスが同一又は異なる初期搬送波で実行されることと、
前記少なくとも１つのプロセスのうちのターゲットプロセスのために、前記初期搬送波と同一又は異なる第１の搬送波を選択することと、
前記第１の搬送波で前記ターゲットプロセスのデータの少なくとも一部を運搬することと、を含むことを特徴とする搬送波選択方法。
【請求項２】
前記した前記第１の搬送波で前記ターゲットプロセスのデータの少なくとも一部を運搬することは、
前記第１の搬送波のデータ運搬状況に基づき、前記第１の搬送波で前記ターゲットプロセスのデータの全部又は一部を運搬するかを決定することを含み、
前記データ運搬状況は、
搬送波がプロセスのデータの全部を運搬できるか否か、及び／又は、搬送波の優先度を示すことを少なくとも含むことを特徴とする
請求項１に記載の方法。
【請求項３】
前記第１の搬送波のデータ運搬状況に基づき、前記第１の搬送波で前記ターゲットプロセスのデータの全部又は一部を運搬するかを決定することは、
前記第１の搬送波のデータ運搬状況が前記ターゲットプロセスのデータの全部を運搬できると示す場合、前記第１の搬送波で前記ターゲットプロセスのデータの全部を運搬すること、そうではない場合、前記第１の搬送波で前記ターゲットプロセスのデータの一部を運搬することを含むことを特徴とする
請求項２に記載の方法。
【請求項４】
前記第１の搬送波のデータ運搬状況に基づき、前記第１の搬送波で前記ターゲットプロセスのデータの全部又は一部を運搬するかを決定することは、
前記ターゲットプロセスの優先度が前記第１の搬送波の優先度とマッチングする場合、前記第１の搬送波で前記ターゲットプロセスのデータの全部を運搬すること、そうではない場合、前記第１の搬送波で前記ターゲットプロセスのデータの一部を運搬することを含むことを特徴とする
請求項２に記載の方法。
【請求項５】
前記第１の搬送波のデータ運搬状況に基づき、前記第１の搬送波で前記ターゲットプロセスのデータの全部又は一部を運搬するかを決定することは、
前記第１の搬送波のデータ運搬状況が前記ターゲットプロセスのデータの全部を運搬できることを示し、前記ターゲットプロセスの優先度が前記第１の搬送波の優先度とマッチングする場合、前記第１の搬送波で前記ターゲットプロセスのデータの全部を運搬すること、そうではない場合、前記第１の搬送波で前記ターゲットプロセスのデータの一部を運搬することを含むことを特徴とする
請求項２に記載の方法。
【請求項６】
前記した前記第１の搬送波で前記ターゲットプロセスのデータの一部を運搬することは、さらに、
一部のデータを除く前記ターゲットプロセスの余剰なデータのために、搬送波選択を再実行して第２の搬送波が得られ、前記第２の搬送波で前記ターゲットプロセスの余剰なデータを運搬することを含むことを特徴とする請求項３〜５のいずれか１項に記載の方法。
【請求項７】
前記第１の搬送波のデータ運搬状況が前記ターゲットプロセスのデータの全部を運搬できると示す場合、前記第１の搬送波で前記ターゲットプロセスのデータの全部を運搬することは、
前記第１の搬送波のデータ運搬状況が前記ターゲットプロセスのデータの全部を運搬できると示し、前記端末装置が前記第１の搬送波で実行可能なプロセス数が閾値よりも小さい場合、前記ターゲットプロセスのデータの全部を運搬する新しいプロセスを前記第１の搬送波で生成することを含むことを特徴とする
請求項３〜５のいずれか１項に記載の方法。
【請求項８】
前記第１の搬送波のデータ運搬状況が前記ターゲットプロセスのデータの全部を運搬できると示す場合、前記第１の搬送波で前記ターゲットプロセスのデータの全部を運搬することは、
前記第１の搬送波のデータ運搬状況が前記ターゲットプロセスのデータの全部を運搬できると示し、前記端末装置が前記第１の搬送波で実行可能なプロセス数が閾値に等しい場合、前記第１の搬送波で実行されるターゲットプロセス以外のプロセスから調整可能なプロセスを選択し、前記調整可能なプロセスの予約リソースを調整して、前記調整可能なプロセスのデータの全部及び前記ターゲットプロセスのデータの全部を調整された予約リソースに運搬することを含むことを特徴とする
請求項３〜５のいずれか１項に記載の方法。
【請求項９】
前記第１の搬送波のデータ運搬状況が前記ターゲットプロセスのデータの全部を運搬できると示す場合、前記第１の搬送波で前記ターゲットプロセスのデータの全部を運搬することは、
前記第１の搬送波のデータ運搬状況が前記ターゲットプロセスのデータの全部を運搬できると示し、前記端末装置が前記第１の搬送波で実行可能なプロセス数が閾値に等しい場合、前記第１の搬送波で単一データパケットの形態を用いて前記ターゲットプロセスのデータの全部を送信することを含むことを特徴とする
請求項３〜５のいずれか１項に記載の方法。
【請求項１０】
前記少なくとも１つのプロセスのそれぞれに対応するリソース再選択タイマーに基づき、プロセスがリソース再選択を実行する必要があるか否かを判断することと、
リソース再選択を実行する必要があるプロセスを決定した場合、前記プロセスをターゲットプロセスとすることと、をさらに含むことを特徴とする
請求項１〜５のいずれか１項に記載の方法。
【請求項１１】
リソースプール構成又はリソースプール再構成を実行する搬送波があるか否かを判断することと、
リソースプール構成又はリソースプール再構成を実行する搬送波がある場合、前記搬送波から少なくとも１つのプロセスをターゲットプロセスとして選択することと、をさらに含むことを特徴とする
請求項１〜５のいずれか１項に記載の方法。
【請求項１２】
実行中のデータ量を運搬できない搬送波のプロセスが少なくとも１つあるか否かを判断することと、
ある場合、前記搬送波で実行されている少なくとも１つのプロセスからターゲットプロセスを選択することと、をさらに含むことを特徴とする
請求項１〜５のいずれか１項に記載の方法。
【請求項１３】
少なくとも１つの搬送波の少なくとも１つのプロセスに運搬されるデータ量を取得することと、
前記少なくとも１つの搬送波の少なくとも１つのプロセスに運搬されるデータ量がサービスデータ量よりも少ない場合、前記少なくとも１つの搬送波で運搬される少なくとも１つのプロセスからターゲットプロセスを選択することと、をさらに含むことを特徴とする
請求項１〜５のいずれか１項に記載の方法。
【請求項１４】
予め設定された時間に、搬送波で伝送又は再伝送が継続的に実行されない場合、前記搬送波上のプロセスをターゲットプロセスとして選択することをさらに含むことを特徴とする
請求項１〜５のいずれか１項に記載の方法。
【請求項１５】
Ｎ（Ｎは整数）個の連続的な伝送タイミングに搬送波でデータ伝送が実行されない場合、前記搬送波上のプロセスをターゲットプロセスとして選択することをさらに含むことを特徴とする
請求項１〜５のいずれか１項に記載の方法。
【請求項１６】
前記少なくとも１つのプロセスのうちのターゲットプロセスのために、第１の搬送波を選択することは、
前記ターゲットプロセスに対応する優先度を取得することと、
前記ターゲットプロセスに対応する優先度に基づき、前記優先度に対応する搬送波集合を決定することと、
前記搬送波集合から第１の搬送波を選択することと、を含み、異なる優先度に対応する搬送波集合が異なることを特徴とする
請求項１〜５のいずれか１項に記載の方法。
【請求項１７】
プロセッサ及びプロセッサで実行可能なコンピュータプログラムを記憶するメモリを備えた端末装置であって、
前記プロセッサは前記コンピュータプログラムを実行するときに、請求項１〜１６のいずれか１項に記載の前記方法のステップを実行することを特徴とする端末装置。
【請求項１８】
コンピュータ実行可能な命令が記憶されるコンピュータ記憶媒体であって、
前記コンピュータ実行可能な命令が実行されるときに請求項１〜１６のいずれか１項に記載の方法のステップが実施することを特徴とするコンピュータ記憶媒体。
【国際調査報告】
2020537373.tif 000007
2020537373.tif 000008
2020537373.tif 000009
2020537373.tif 000010